(57)【要約】【課題】入力装置が充電を行うと同時に使用者が操作できるようにする。【解決手段】少なくとも1つの充電電池と1対の電源入力端子33が設けられた入力本体31と、電源信号の入力を受信し、受信された電源信号を入力本体の充電電池充電用の電源信号として処理し、処理された電源信号を受信するための一対の電源伝送端子34を有する充電体32とを備え、入力本体は充電電池によって給電され、使用者が入力本体を操作し、電子情報装置の作動を制御するようにしており、充電体の殻体が入力本体の外殻に応じて延び、充電体と入力本体とは水平方向の組み合わせ方式によって相互に接合され、入力本体の1対の電源入力端子が充電体の1対の電源伝送端子にそれぞれ接続することで、入力本体の電源入力端子が電源伝送端子からの電源信号を充電電池の受電電源のソースとして受信し、使用者が入力本体を操作している場合にも入力本体の充電電池を充電できるようにする。【選択図】図3
2005259102.tif 000002
【特許請求の範囲】
【請求項１】
充電構造を有する入力装置において、
少なくとも1つの充電電池が収容され、外殻の側辺に1対の電源入力端子が設けられ、充電電池によって給電され、使用者が電子情報装置の作動を制御する入力本体と、
外殻の側辺に1対の電源伝送端子が設けられ、殻体が前記入力本体の外殻に応じて延び、入力される電源信号を受信し、且つ、受信された電源信号を前記入力本体における充電電池充電用の電源信号として処理しており、入力本体とは水平方向の組み合わせ方式によって相互に接合され、該入力本体の該1対の電源入力端子が充電体の該1対の電源伝送端子にそれぞれ接続することで、該入力本体の電源入力端子が該電源伝送端子からの電源信号を充電電池の充電電源のソースとして受信し、使用者が前記入力本体を操作している場合にも前記入力本体の充電電池を充電できるようにする充電体と、
を備えることを特徴とする充電構造を有する入力装置。
【請求項２】
充電構造を有する入力装置において、
少なくとも1つの充電電池が収容され、外殻の側辺に1対の電源入力端子が設けられ、充電電池によって給電され、使用者が電子情報装置の作動を制御する入力本体と、
電源信号の入力を受信し、受信された電源信号を前記入力本体における充電電池充電用の電源信号として処理する電源受信体と、
前記電源受信体と電気的に接続され、殻体が前記入力本体の外殻に応じて延び、外殻の側辺に前記電源受信体によって処理された電源信号を受信するための1対の電源伝送端子が設けられ、入力本体とは水平方向の組み合わせ方式によって相互に接合され、前記入力本体の前記1対の電源入力端子が前記1対の電源伝送端子にそれぞれ接続することで、前記入力本体の電源入力端子が前記電源伝送端子からの電源信号を充電電池の充電電源のソースとして受信し、使用者が前記入力本体を操作している場合にも該入力本体の充電電池を充電できるようにする充電体と、
を備えることを特徴とする充電構造を有する入力装置。
【請求項３】
前記入力本体は無線マウスであることを特徴とする請求項1又は2に記載の充電構造を有する入力装置。
【請求項４】
前記1対の電源入力端子は前記入力本体の手握り箇所の尾端に設けられていることを特徴とする請求項1又は2に記載の充電構造を有する入力装置。
【請求項５】
前記充電体の殻体の外形はU字形、コ字形、及びく字形のいずれかであることを特徴とする請求項1又は2に記載の充電構造を有する入力装置。
【請求項６】
入力本体と充電体との接続性を向上させるように、前記入力本体の電源入力端子の装着箇所、及び前記充電体の電源伝送端子の装着箇所に、相互に嵌合可能の構造がそれぞれ形成されていることを特徴とする請求項1又は2に記載の充電構造を有する入力装置。
【請求項７】
前記電源受信体と充電体は電源線を通して電気的に接続されていることを特徴とする請求項2に記載の充電構造を有する入力装置。
【発明の詳細な説明】
【技術分野】
【０００１】
本発明は充電構造を有する入力装置に関し、より詳しくは、充電を行うと同時に使用者が操作できるようにする入力装置に関するものである。
【背景技術】
【０００２】
従来より、広汎に使用されている無線マウスの給電構造を、図1に示す。無線マウス10は該無線マウス10の本体内部に装着された充電電池（図示せず）を充電体11によって充電し、該充電体11の内部には電圧検出、電圧変換、電圧充電または電圧放電などの機能を有する処理回路（図示せず）が設けられ、該処理回路により電源線13からの電源信号を処理し、該処理回路が受信された電源信号を該無線マウス10の本体内部における充電電池充電用の電源信号として処理するようにする。
【０００３】
該充電体11には無線マウス10を収容する収容槽16が設けられ、該収容槽16に1対の金属接触プローブ12が突設され、処理された電源信号を無線マウス10の充電電池に伝送し充電させるように、前記処理回路により処理された電源信号を該1対の金属接触プローブ12によって、該収容槽16に収容された無線マウス10の1対の金属接触弾片14に出力する。
【０００４】
しかしながら、前記無線マウス10及び充電体11は上下に組み合わせられることによって充電処理（図2に示すように）を行っているため、使用者が充電中の無線マウス10を操作することができず、該無線マウス10の使用範囲がある程度に限られている。一方、前記無線マウス10及び充電体11の接触方式は上、下の組み合わせ関係を採用しているため、該無線マウス10の背部15に装着された金属接触弾片14と充電体11の金属接触プローブ12との接触の位置合わせは容易ではなく、充電をスムーズに行うことができない問題がある。
【発明の開示】
【発明が解決しようとする課題】
【０００５】
上記の課題に鑑みて、本発明は入力装置が充電を行うと同時に使用者が操作できるようにする、充電構造を有する入力装置を提供することを目的とする。
【０００６】
また、本発明は、良好な接続性があるために、入力装置の接触弾片の装着箇所および充電体の接触プローブの装着箇所に、相互に嵌合可能の構造がそれぞれ形成されるようにする、充電構造を有する入力装置を提供することを目的とする。
【課題を解決するための手段】
【０００７】
上記の目的を達成するために、本発明に係る充電構造を有する入力装置は、少なくとも1つの充電電池が収容され、外殻の側辺に1対の電源入力端子が設けられ、充電電池によって給電され、使用者が電子情報装置の作動を制御する入力本体と、入力される電源信号を受信し、受信された電源信号を該入力本体の充電電池充電用の電源信号として処理する充電体と、を備え、該充電体の殻体が該入力本体の外殻に応じて延び、該充電体の外殻の側辺に1対の電源伝送端子が設けられ、該充電体と入力本体とは水平方向の組み合わせ方式によって相互に接合され、該入力本体の該1対の電源入力端子が充電体の該1対の電源伝送端子にそれぞれ接続することで、該入力本体の電源入力端子が該電源伝送端子からの電源信号を充電電池の充電電源のソースとして受信し、かつ該入力本体が充電の状態においても使用者が操作できるようにする。
【０００８】
一方、該入力本体の該1対の電源入力端子の装着箇所、及び該充電体の電源伝送端子の装着箇所には、相互に嵌合可能の構造がそれぞれ形成され、該入力本体と充電体との接合がより強固となるとともに、入力本体の該1対の電源入力端子と充電体の該一対の電源伝送端子との接続もより正確になる。
【発明を実施するための最良の形態】
【０００９】
下記は特定の具体的な実施例によって本発明の実施方式を説明する。明細書に記載の内容によってこの技術に習熟した者は簡単に本発明のその他の利点や効果を理解できる。本発明に係る実質的な技術内容は、広汎に下記の特許請求の範囲内に定義される。他人に完成された如何なる技術や方法は、下記の特許請求の範囲に定義されたものとまったく同然であり、または同一であり、等効の変更であれば、特許請求の範囲に含まれると思われる。また、本発明は実施の形態に限定されるものではなく、本発明の技術思想の範囲内で数々の変更態様が可能であることは言うまでもない。
【００１０】
図3は、本発明に係る充電構造を有する入力装置の構成を模式的に示す。図3に示すように、本発明に係る充電構造を有する入力装置は、例えば無線マウスである入力本体31と、充電体32と、例えば変圧器である電源受信体37とを備える。ここで、該入力本体31、充電体32、電源受信体37はさらに他の各種の部材を備える。図面や説明の簡単化のため、ここでは本発明に係る部材のみを示しており、その他の関連のない部材等例えば充電状態表示ライト、無線マウスの座標判定部材等は、図面に示していない。
【００１１】
該入力本体31は、内部に装着された充電電池（図示せず）によって給電され、使用者が該入力本体31を操作して例えばデスクトップまたはノートパソコンなどの電子情報装置（図示せず）の作動を制御する。該入力本体31の手握り部310の外殻の側端に、例えば金属接触弾片である電源入力端子33が露出されている。
【００１２】
該電源受信体37は、1対の電源プラグ370によって電源プラグ（図示せず）からの電源信号を受信し、該電源受信体37内に電圧変換、電圧レギュレーションなどの機能を有する処理回路（図示せず、それらの機能は一般の充電装置の周知の標準機能であるため、以下は該機能及びその構造に関する詳しい説明を省略する）が設けられ、該処理回路によって該電源プラグ370からの電源信号を処理して、該処理回路が、受信された電源信号を該入力本体31の充電電池充電用の電源信号として処理するようにする。
【００１３】
該充電体32は、電源線35を通して該電源受信体37に電気的に接続され、該充電体32の殻体は、該入力本体31の外殻に応じて延び、該充電体32の外殻の側辺に、該電源受信体37によって処理された電源信号を受信するための１対の電源伝送端子34例えば金属接触プローブが設けられている。
【００１４】
本実施例では、該充電体32の殻体は、該入力本体31の外殻に応じて延びたものであるため、ここでの充電体32が該楕円形となっている入力本体31に応じてU字形の構造となり、使用者が水平方向に充電体32と入力本体31とを強固に結合して、該入力本体31の電源入力端子33と該充電体32の電源伝送端子34とが相互に接続することで、該充電体32の電源伝送端子34が受信された処理後の電源信号を、該入力本体31の電源入力端子33に伝送し、該入力本体31の内部における充電電池を充電し、且つ、該充電体32は該入力本体31において使用者が手で握るための手握り部310の尾端に接合されているため、該入力本体31が該充電体32によって充電を行うと同時に、使用者の該入力本体31に対する操作使用に影響することはない（図5に示すように）。
【００１５】
さらに、本実施例では、該入力本体31の電源入力端子33は、凹部330内に設けられ、該充電体32の電源伝送端子34に近い装着箇所には凸部340（図1に示すように）が設けられ、使用者は水平方向に充電体32と入力本体31とを結合し、該入力本体31の電源入力端子33と該充電体32の電源伝送端子34とが相互に接続すると同時に、該充電体32の凸部340が該入力本体31の凹部330内に収容され、これによって該入力本体31の電源入力端子33と充電体32の電源伝送端子34との接続がより確実になる。
【００１６】
上記のように、本発明に係る充電構造を有する入力装置は、該入力本体31と充電体32とを水平方向に組み合わせることによって入力本体31内における充電電池を充電し、使用者が充電中の入力本体31を操作できるようにする。また、該入力本体31の電源入力端子33の装着箇所、及び該充電体32の電源伝送端子34の装着箇所に、相互に嵌合可能の凹凸部（330、340）構造がそれぞれ形成され、電源入力端子33と電源伝送端子34との接続がより確実となり、従来のように無線マウス10が該充電体11の収容槽16に収容され充電を行う場合、使用者が該無線マウス10を操作できなくなる課題を有効に解決することができる。
【００１７】
ここで、前記電源受信体37に設けられた処理回路は、該充電体32に収容されても良く、且つ、電源プラグを有する電源線（図示せず）が該充電体32より外へ延び、充電体32の電源プラグを、電源信号が供給された電源プラグ（図示せず）に入れ、該充電体32が該処理回路によって電源プラグからの電源信号を処理し、該処理回路が受信された電源信号を該入力本体31の充電電池充電用の電源信号として処理するようにする。
【００１８】
上記の実施例は本発明の原理及びその効果を例示的に示しているが、それらに限定されるものではない。例えば、前記の実施例では、該充電体32は該入力本体31において使用者が手で握るための手握り部310の尾端のみに接合されるものではなく、該充電体32は該入力本体31の該1対の電源入力端子33の装着箇所に応じて該入力本体31の殻体の側辺のいずれかに接合され、且つ、該充電体32の殻体はU字形構造のみとなるものではなく、該入力本体31の外殻に応じてコ字形またはく字形などの異なる形状に延びる構造となり、使用者が水平方向に該充電体32と入力本体31とを強固に結合するようにできる。即ち、実施形態に応じて、この技術分野に精通したものが特許請求の範囲を脱しない範囲で色々な修飾や変更が可能であり、そうした修飾や変更は本発明の技術範囲に入るものである。
【図面の簡単な説明】
【００１９】
【図１】従来の無線マウスと充電体の構造を模式的に示す。
【図２】従来の無線マウスと充電体との組み合わせを模式的に示す。
【図３】本発明に係る充電構造を有する入力装置の構造を模式的に示す。
【図４】本発明に係る充電構造を有する入力装置の入力本体と充電池との組み合わせを模式的に示す。
【図５】本発明に係る充電構造を有する入力装置に適用される場合の使用状態図である。
【符号の説明】
【００２０】
10  無線マウス
11  充電体
12  金属接触プローブ
13  電源線
14  金属接触弾片
15  無線マウスの背部
16  収容槽
31  入力本体
32  充電体
310  手握り部
32  充電体
33  電源入力端子
330  凹部
34  電源伝送端子
340  凸部
35  電源線
37  電源受信体
370  プラグ
【図１】
2005259102.tif 000003
【図２】
2005259102.tif 000004
【図３】
2005259102.tif 000005
【図４】
2005259102.tif 000006
【図５】
2005259102.tif 000007